(57)【要約】【課題】基板スペースの節約を図ることのでき、主回線切換リレー、モデム接続リレーのそれぞれの切換接点の切換動作のソフト処理を軽減できるファクシミリ通信装置を提供する。【解決手段】主回線切換リレーＣＭＬのモデム側切換接点ｂと、モデム接続リレーＳの共通端子ｃとの間には、フォトカプラ１０と、該フォトカプラ１０と極性の異なるダイオードＤとを並列に接続して成る呼出／極性反転検出回路１を設けるとともに、主回線切換リレーＣＭＬの共通端子ｃとモデム側切換接点ｂとの間には、交流呼出信号通過許容回路２を設け、更に、モデム接続リレーＳの共通端子ｃには直流負荷回路Ｒを接続付加した構成にしている。【選択図】図１
2006324846.tif 000002
【特許請求の範囲】
【請求項１】
共通端子を電話回線に接続し、外付け電話機側と、モデム側とを切換制御する切換接点を有した主回線切換リレーと、
共通端子を上記主回線切換リレーのモデム側の切換接点に接続し、モデム側と外付け電話機側とを切換接続する切換接点とを有したモデム接続リレーとを備えたファクシミリ装置において、
上記主回線切換リレーのモデム側切換接点と、上記モデム接続リレーの共通端子との間には、フォトカプラと、該フォトカプラと極性の異なるダイオードとを並列に接続して成る呼出／極性反転検出回路を設けるとともに、上記主回線切換リレーの共通端子と上記モデム側切換接点との間には、交流呼出信号通過許容回路を設け、更に、上記モデム接続リレーの共通端子には直流負荷回路を接続付加した構成にしている、ファクシミリ通信装置。
【請求項２】
請求項１において、
上記交流呼出信号通過許容回路は、コンデンサに抵抗を直列接続して構成されている、ファクシミリ通信装置。
【請求項３】
請求項１または２において、
上記ファクシミリ通信装置は、モデムからのＤＴＭＦ信号、あるいは上記電話回線の上記主回線切換リレーを設けていない側と、上記モデム接続リレーの上記共通端子との間に接続したダイヤルパルス発生回路からのダイヤルパルスを、上記電話回線を通じて送出することで、外線呼出を行う構成にしている、ファクシミリ通信装置。
【発明の詳細な説明】
【技術分野】
【０００１】
本発明は、主回線切換リレーとモデム切換リレーとを有し、これらのリレーの切換により、外付け電話機と外線とを通じた通話、外線との間でのファクシミリ通信をなすファクシミリ通信装置に関する。
【背景技術】
【０００２】
上記ファクシミリ通信装置は、事務所や一般家庭などで広く使用されている。
【０００３】
下記特許文献１は、この種のファクシミリ通信装置を開示しており、主回線切換リレーとモデム切換リレーとを有し、各々のリレーの切換により、外付け電話機と外線とを通じた通話、外線との間でのファクシミリ通信をなすようにしている。
【０００４】
図５はファクシミリ通信装置の一例を示すブロック図である。このものは、共通端子ｃを電話回線Ｌに接続して、電話回線Ｌの電気的接続を、外付け電話機ＴＥＬ側か図示しないモデム側かに切り換える切換接点１０２を有する主回線切換リレーＣＭＬと、共通端子ｃを主回線切換リレーＣＭＬのモデム側切換接点ｂに接続して、モデムを、電話回線Ｌに接続するかしないかを切り換える切換接点１０３を有するモデム接続リレーＳと、極性反転検出回路１００と、呼出信号検出回路１０１とを備えている。
【０００５】
極性反転検出回路１００は、それぞれ極性の異なるフォトカプラ１００ａ，１００ｂで構成される。また、呼出信号検出回路１０１もフォトカプラ１０１ａで構成される。
【０００６】
このファクシミリ通信装置では、待機状態では、主回線切換リレーＣＭＬの切換接点１０２がａ閉じ、モデム接続リレーＳの切換接点１０３がａ閉じとなっており、モデムトランスＴＲが短絡され、モデムは電話回線Ｌから遮断された状態となっている。
【０００７】
この状態では、極性反転検出回路１００のフォトカプラ１００ａ，１００ｂのうちいずれか一方はオンとなっている。
【０００８】
ファクシミリ送信時には、相手先発呼時、主回線切換リレーＣＭＬの切換接点１０２がｂ閉じ、モデム接続リレーＳの切換接点１０３がｂ閉じに切り換わり、電話回線Ｌにモデムが接続される。そして、モデムからはＤＴＭＦ信号が電話回線Ｌを通じて送出させ呼出先が発呼される。
【０００９】
モデムからのＤＴＭＦ信号の送出が終了すると、主回線切換リレーＣＭＬの切換接点１０２をａ閉じ、モデム接続リレーＳの切換接点１０３をａ閉じに戻して待機状態とし、呼出先の着信に待機する。
【００１０】
呼出先が着信すると、図示しない交換機は電話回線Ｌの極性を反転させるため、極性反転検出回路１００のうち、オンとなるフォトカプラ１００ａ，１００ｂが入れ替わり、これにより着信を検出すると、再び、主回線切換リレーＣＭＬの切換接点１０２をｂ閉じ、モデム接続リレーＳの切換接点１０３をｂ閉じとし、モデムを電話回線Ｌに接続し、この状態でファクシミリ送信をなす。
【００１１】
ファクシミリ送信が終了すると、主回線切換リレーＣＭＬの切換接点１０２をａ閉じ、モデム接続リレーＳの切換接点１０３をａ閉じとして待機状態に復帰させる。
【００１２】
一方、待機状態にあるときに、電話回線から１６Ｈｚの呼出信号を受けると、呼出検出回路１０１のフォトカプラ１０１ａがオンオフする。これを呼出検出と判断して、主回線切換リレーＣＭＬの切換接点１０２をｂ閉じ、更にモデム接続リレーＳの切換接点１０３をｂ閉じとし、モデムを電話回線Ｌに接続して着信する。この状態でファクシミリ受信を開始し、終了すると、待機状態に復帰させる。
【００１３】
なお、図中において、ＲＬ１，２は、共通端子ｃに外付け電話機ＴＥＬを接続し、外付け電話機ＴＥＬの電気的接続を電話回線Ｌ側と図示しない疑似ベル送出回路側とで切り換える切換接点１０４，１０５を有するリレー、ＯＨは、外付け電話機ＴＥＬのオフフック検知回路である。
【特許文献１】特開２０００−５９５２５号公報
【発明の開示】
【発明が解決しようとする課題】
【００１４】
ところで、上記構成では、極性反転検出回路と呼出検出回路とを別々に設けているため、基板スペースや製造コストという観点で問題があった。
【００１５】
また、主回線切換リレーの切換接点、モデム接続リレーの切換接点の切換動作は、待機状態からファクシミリ送信を終了させ、再度待機状態となるまでに、４段階の切換動作を行う必要があり、切換のためのソフト処理に負担がかかっていた。
【００１６】
本発明はこのような問題を解決するために提案されるもので、基板スペースの節約を図ることのでき、主回線切換リレー、モデム接続リレーのそれぞれの切換接点の切換動作のソフト処理を軽減できるファクシミリ通信装置を提供することを目的とする。
【課題を解決するための手段】
【００１７】
上記目的を達成するため、本発明の請求項１では、共通端子を電話回線に接続し、外付け電話機側と、モデム側とを切換制御する切換接点とを有した主回線切換リレーと、共通端子を主回線切換リレーのモデム側の切換接点に接続し、モデム側と外付け電話機側とを切換接続する切換接点とを有したモデム接続リレーとを備えたファクシミリ装置において、主回線切換リレーのモデム側切換接点と、モデム接続リレーの共通端子との間には、フォトカプラと、該フォトカプラと極性の異なるダイオードとを並列に接続して成る呼出／極性反転検出回路を設けるとともに、主回線切換リレーの共通端子とモデム側切換接点との間には、交流呼出信号通過許容回路を設け、更に、モデム接続リレーの共通端子には直流負荷回路を接続付加した構成にしている。
【００１８】
請求項２では、交流呼出信号通過許容回路は、コンデンサに抵抗を直列接続して構成されている。
【００１９】
請求項３では、ファクシミリ通信装置は、モデムからのＤＴＭＦ信号、あるいは上記電話回線の主回線切換リレーを設けていない側と、モデム接続リレーの共通端子との間に接続したダイヤルパルス発生回路からのダイヤルパルスを、電話回線を通じて送出することで、外線呼出を行う構成にしている。
【発明の効果】
【００２０】
本発明によれば、以下の効果を奏する。
【００２１】
請求項１によれば、主回線切換リレーのモデム側切換接点と、モデム接続リレーの共通端子との間には、フォトカプラと、該フォトカプラと極性の異なるダイオードとを並列に接続して成る呼出／極性反転検出回路を設けるとともに、主回線切換リレーの共通端子とモデム側切換接点との間には、交流呼出信号通過許容回路を設け、更に、モデム接続リレーの共通端子には直流負荷回路を接続付加した構成としているので、呼出検出回路と極性反転検出回路とを共通化して基板の省スペース化が図れ、製造コストの低減が図れる他、リレー切換のためのソフト処理を軽減できる。
【００２２】
請求項２によれば、交流呼出信号通過許容回路は、コンデンサに抵抗を直列接続して構成し、１６Ｈｚの交流信号である呼出信号のみを通過させ、不要な低周波ノイズを遮断するようにしたので、誤動作を少なくできる。
【００２３】
請求項３によれば、電話回線を通じて、モデムからのＤＴＭＦ信号あるいはダイヤルパルス発生回路からのダイヤルパルス選択的に送出して外線呼出を行うため、相手先の機能に応じて、呼出態様を変化させることができる。
【発明を実施するための最良の形態】
【００２４】
以下に、本発明の実施の形態について説明する。
【実施例１】
【００２５】
図１は、本発明のファクシミリ通信装置の要部構成の一例を示すブロック図である。
【００２６】
このファクシミリ通信装置Ｆでは、共通端子ｃを電話回線Ｌに接続し、モデムの電話回線Ｌに対する電気的接続を切り換える切換接点１２を有する主回線切換リレーＣＭＬと、共通端子ｃを主回線切換リレーＣＭＬのモデム側切換接点ｂに接続し、モデムを電話回線Ｌに電気的に接続するかしないかを切り換える切換接点１３を有したモデム接続リレーＳとを備えている。
【００２７】
主回線切換リレーＣＭＬのモデム側切換接点ｂと、モデム接続リレーＳの共通端子ｃとの間には、呼出／極性反転検出回路１を備えている。また、主回線切換リレーＣＭＬの共通端子ｃとモデム側切換接点ｂとの間には、コンデンサＣと抵抗Ｒとで構成され、１６Ｈｚの交流信号の通過を許容する交流信号通過許容回路２を備えている。
【００２８】
呼出／極性反転検出回路１は、ダイオードＤと、該ダイオードＤとは極性の異なるフォトカプラ１０とを並列に接続して構成している。
【００２９】
モデム接続リレーＳの共通端子ｃには、直流負荷回路Ｒを接続付加している。
【００３０】
なお、図中において、ＲＬ１，２は、共通端子ｃに外付け電話機ＴＥＬが接続され、外付け電話機ＴＥＬの電気的接続を電話回線Ｌ側と図示しない疑似ベル発生回路側とで切り換える切換接点１４，１５を有するリレー、ＯＨは、外付け電話機ＴＥＬのオフフック検知回路である。
【００３１】
このような構成において、待機状態では、主回線切換リレーＣＭＬの切換接点１２はａ閉じ、モデム接続リレーＳの切換接点１３はａ閉じとなっており、モデムと電話回線Ｌとの接続を遮断し、かつ、リレーＲＬ１，２の切換接点１４，１５は待機状態ではｂ閉じの状態としており、外付け電話機ＴＥＬと電話回線Ｌとの接続がなされた状態としている。
【００３２】
図２は、本発明のファクシミリ通信装置の要部構成の他例を示すブロック図である。
【００３３】
このファクシミリ通信装置Ｆ１は、図１の構成に対して、電話回線Ｌの主回線切換リレーＣＭＬを設けていない側と、モデム接続リレーＳの共通端子ｃとの間には、ダイヤルパルス発生回路ＤＰを設けている。
【００３４】
ダイヤルパルス発生回路ＤＰは、主回線切換リレーＣＭＬの切換接点１２がｂ閉じ、モデム接続リレーＳの切換接点１３がｂ閉じの状態において、ダイヤルパルスを電話回線Ｌに送出して相手先を呼び出す。
【００３５】
こうすれば、ＤＴＭＦ信号だけではなく、ダイヤルパルスによっても相手先を呼び出すことができる。
【００３６】
図３は、ファクシミリ通信装置Ｆのファクシミリ送信時における基本動作の一例を示すフローチャート（１００〜１０９）である。
【００３７】
ファクシミリ通信装置Ｆでは、ファクシミリ送信指令があれば、主回線切換リレーＣＭＬの切換接点１２をｂ閉じ、モデム接続リレーＳの切換接点１３をｂ閉じとして、モデムトランスＴＲ、モデムを電話回線Ｌに接続する。
【００３８】
そして、この状態でモデムよりＤＴＭＦ信号を送出し、相手先を発呼する。このとき、呼出／極性反転検出回路１では、フォトカプラ１０とダイオードＤとが交互にオンオフする。
【００３９】
モデムからのＤＴＭＦ信号の送出が終了すると、そのままの状態で呼出先の着信に待機して、呼出先の着信があると、交換機により電話回線Ｌの極性反転があるため、この極性反転によって、ダイオードＤ、フォトカプラ１０のいずれかのみがオンとされ、直流負荷回路Ｒに電流が通じる。
【００４０】
一方、モデムからＤＴＭＦ信号を送出して相手先を呼び出した後、着信を所定時間待機しても着信がなかった場合には相手先を所定回数リダイヤルするが、予め定められたリダイヤル時間が経過するまでに相手先の着信がない場合には、主回線切換リレーＣＭＬの切換接点１２をａ閉じ、モデム接続リレーＳの切換接点１３をａ閉じとして、待機状態に復帰する。
【００４１】
相手先の着信があった場合には、先述のように、電話回線Ｌの極性反転により直流負荷回路Ｒに通じた電流を図示しない主制御部が検出し、呼出があった旨を検出できる。
【００４２】
ついで、主回線切換リレーＣＭＬの切換接点１２をｂ閉じ、モデム接続リレーＳの切換接点１３をｂ閉じとしたまま、ファクシミリ送信を行い、終了すれば、主回線切換リレーＣＭＬの切換接点１２をａ閉じ、モデム接続リレーＳの切換接点１３をａ閉じとして待機状態に復帰させる。
【００４３】
このように、主回線切換リレーＣＭＬ、モデム接続リレーＳのそれぞれの切換接点１２，１３を、ファクシミリ送信時には、待機状態からファクシミリ送信終了までに２段階切り換えるだけでよいため、リレー切換のためのソフト処理の軽減が図れる。
【００４４】
図４は、ファクシミリ通信装置Ｆのファクシミリ受信動作の一例を示すフローチャートである（２００〜２０５）。
【００４５】
ファクシミリ通信装置Ｆは、待機状態において、電話回線Ｌから１６Ｈｚの呼出信号を受けたときには、その呼出信号が主回線切換リレーＣＭＬの共通端子ｃを通じて、交流呼出信号通過許容回路２により通過が許容される。
【００４６】
そして、交流呼出信号通過許容回路２により通過が許容された呼出信号は、呼出／極性反転検出回路１に入力されるので、入力された呼出信号により、ダイオードＤ、フォトカプラ１０が交互にオンオフする。
【００４７】
このとき、電話回線Ｌを通じて送出されてくる呼出信号は外付け電話機ＴＥＬにも入力され、外付け電話機ＴＥＬから呼出音が鳴動される。
【００４８】
図示しない主制御部は、ダイオードＤ、フォトカプラ１０のオンオフを検出して、呼出があった旨を検出できる。
【００４９】
そして、主回線切換リレーＣＭＬの切換接点１３をｂ閉じ、モデム接続リレーＳの切換接点１３をｂ閉じにして、いわゆる自動着信を行い、モデムトランスＴＲ、モデムを電話回線Ｌに接続し、相手先からファクシミリ通信手順信号が送出されてきた際には、この状態でファクシミリ受信を行う。
【００５０】
ファクシミリ受信が終了すれば、主回線切換リレーＣＭＬの切換接点１２をａ閉じ、モデム接続リレーＳの切換接点１３をａ閉じに戻して待機状態に復帰する。
【００５１】
また、自動着信に合わせて、リレーＲＬ１，ＲＬ２の切換接点１４，１５をａ閉じに切り換えて、図示しない疑似ベル発生回路から疑似ベルを発生させ、外付け電話機ＴＥＬから疑似ベルを鳴動させる。その鳴動に対して外付け電話機ＴＥＬのオフフックをオフフック検出回路ＯＨが検出した場合には、主回線切換リレーＣＭＬの切換接点１２をａ閉じ、モデム接続リレーＳの切換接点１３をａ閉じ、更には、リレーＲＬ１，ＲＬ２の切換接点１４，１５をｂ閉じにして待機状態に復帰させ、外付け電話機ＴＥＬを電話回線Ｌに接続して通話可能とする。
【図面の簡単な説明】
【００５２】
【図１】本発明のファクシミリ通信装置の要部構成の一例を示すブロック図
【図２】本発明のファクシミリ通信装置の要部構成の他例を示すブロック図
【図３】本発明のファクシミリ通信装置のファクシミリ送信時の基本動作の一例を示すフローチャート
【図４】本発明のファクシミリ通信装置のファクシミリ受信時の基本動作の一例を示すフローチャート
【図５】従来のファクシミリ通信装置の構成を示すブロック図
【符号の説明】
【００５３】
Ｆ、Ｆ１  ファクシミリ通信装置
１  呼出／極性反転検出回路
２  交流呼出信号通過許容回路
１０  フォトカプラ
１２，１３  切換接点
ＣＭＬ  主回線切換リレー
Ｓ  モデム接続リレー
ＤＰ  ダイヤルパルス発生回路
Ｒ  直流負荷回路
ＴＥＬ  外付け電話機
Ｄ  ダイオード
【図１】
2006324846.tif 000003
【図２】
2006324846.tif 000004
【図３】
2006324846.tif 000005
【図４】
2006324846.tif 000006
【図５】
2006324846.tif 000007